(57)【要約】【課題】多層構造の圧電素子を用いた液体噴射ヘッドにおいて、各圧電素子の特性ばらつきを高いレベルで揃える。【解決手段】圧力室１２とは反対側の振動板表面に形成された圧電素子は、互いに積層された上層圧電体３４及び下層圧電体３５からなる圧電体層３１と、この圧電体層３１に付与される電場を発生する電極層３３，３６，３７とを備える。共通上電極３６及び共通下電極３７をそれぞれ、基電極４２，４４とこれらの基電極から各圧電体層３１に延設された複数の枝電極４３，４５とからなる櫛歯状電極によって構成し、各基電極には導通部材が配設される導通部をそれぞれ設け、導通部材４７を介して各導通部同士を導通可能に構成する。【選択図】　　　図８
2004096070.tif 000002
【特許請求の範囲】
【請求項１】
駆動源としての圧電素子を振動板の表面に形成してなる圧電アクチュエータにおいて、
前記圧電素子は、電場に応じて変形する圧電体層と該圧電体層に付与される電場を発生する電極層とを備え、
前記圧電体層を、互いに積層された上層圧電体と下層圧電体とから構成すると共に、前記電極層を、共通上電極及び共通下電極からなり同電位に調整される共通電極と、駆動信号の供給源に導通される駆動電極とから構成し、
下層圧電体と上層圧電体との間に駆動電極を形成すると共に、下層圧電体と振動板との間に共通下電極を、駆動電極とは反対側の上層圧電体の表面に共通上電極をそれぞれ形成し、
共通上電極及び共通下電極をそれぞれ、基電極と該基電極から各圧電体層に延設された複数の枝電極とからなる櫛歯状電極によって構成し、
各基電極には導通部材が配設される導通部をそれぞれ設け、導通部材を介して各導通部同士を導通可能に構成したことを特徴とする圧電アクチュエータ。
【請求項２】
振動板の表面に複数の圧電素子を形成する素子形成工程を経て製造される圧電アクチュエータの製造方法において、
前記圧電素子は、互いに積層された上層圧電体及び下層圧電体からなる圧電体層と、共通上電極及び共通下電極からなり同電位に調整される共通電極と、駆動信号の供給源に導通される駆動電極とを備え、
下層圧電体と上層圧電体との間に駆動電極を形成すると共に、下層圧電体と振動板との間に共通下電極を、駆動電極とは反対側の上層圧電体の表面に共通上電極をそれぞれ形成し、
共通上電極及び共通下電極をそれぞれ、基電極と該基電極から各圧電体層に延設された複数の枝電極とからなる櫛歯状電極によって構成すると共に、各基電極には導通部材が設けられる導通部をそれぞれ設け、
前記素子形成工程では、共通上電極と共通下電極とをそれぞれ電気的に絶縁された状態で個別に形成し、その後、導通工程にて導通部同士の間に導通部材を介設して共通上電極と共通下電極とを導通させることを特徴とする圧電アクチュエータの製造方法。
【請求項３】
前記素子形成工程と導通工程との間に分類工程を行い、前記上層圧電体の圧電体特性を測定し、該測定結果に基づく分類を行うことを特徴とする請求項２に記載の圧電アクチュエータの製造方法。
【請求項４】
前記素子形成工程と導通工程との間に分類工程を行い、前記下層圧電体の圧電体特性を測定し、該測定結果に基づく分類を行うことを特徴とする請求項２または請求項３に記載の圧電アクチュエータの製造方法。
【請求項５】
ノズル開口に連通された圧力室と、該圧力室の一部を区画する振動板と、前記圧力室とは反対側の振動板表面に設けられた圧電素子とを備え、圧電素子の変形によって圧力室内の液体に圧力変動を生じさせることでノズル開口から液滴を吐出する液体噴射ヘッドにおいて、
前記圧電素子は、電場に応じて変形する圧電体層と該圧電体層に付与される電場を発生する電極層とを備え、
前記圧電体層を、互いに積層された上層圧電体と下層圧電体とから構成すると共に、前記電極層を、共通上電極及び共通下電極からなり同電位に調整される共通電極と、駆動信号の供給源に導通される駆動電極とから構成し、
下層圧電体と上層圧電体との間に駆動電極を形成すると共に、下層圧電体と振動板との間に共通下電極を、駆動電極とは反対側の上層圧電体の表面に共通上電極をそれぞれ形成し、
共通上電極及び共通下電極をそれぞれ、基電極と該基電極から各圧電体層に延設された複数の枝電極とからなる櫛歯状電極によって構成し、
各基電極には導通部材が配設される導通部をそれぞれ設け、導通部材を介して各導通部同士を導通可能に構成したことを特徴とする液体噴射ヘッド。
【請求項６】
振動板の表面に複数の圧電素子を形成する素子形成工程を経て製造される液体噴射ヘッドの製造方法において、
前記圧電素子は、互いに積層された上層圧電体及び下層圧電体からなる圧電体層と、共通上電極及び共通下電極からなり同電位に調整される共通電極と、駆動信号の供給源に導通される駆動電極とを備え、
下層圧電体と上層圧電体との間に駆動電極を形成すると共に、下層圧電体と振動板との間に共通下電極を、駆動電極とは反対側の上層圧電体の表面に共通上電極を形成し、
共通上電極及び共通下電極をそれぞれ、基電極と該基電極から各圧電体層に延設された複数の枝電極とからなる櫛歯状電極によって構成すると共に、各基電極には導通部材が設けられる導通部をそれぞれ設け、
前記素子形成工程では、共通上電極と共通下電極とをそれぞれ電気的に絶縁された状態で個別に形成し、その後、導通工程にて導通部同士の間に導通部材を介設して共通上電極と共通下電極とを導通させることを特徴とする液体噴射ヘッドの製造方法。
【請求項７】
前記素子形成工程と導通工程との間に分類工程を行い、前記上層圧電体の圧電体特性を測定し、該測定結果に基づく分類を行うことを特徴とする請求項６に記載の液体噴射ヘッドの製造方法。
【請求項８】
前記素子形成工程と導通工程との間に分類工程を行い、前記下層圧電体の圧電体特性を測定し、該測定結果に基づく分類を行うことを特徴とする請求項６または請求項７に記載の液体噴射ヘッドの製造方法。
【発明の詳細な説明】
【０００１】
【発明の属する技術分野】
本発明は、駆動源としての圧電素子を振動板表面に形成してなる圧電アクチュエーター、及び、この圧電アクチュエータを備えた液体噴射ヘッド、並びに、これらの製造方法に関する。
【０００２】
【従来の技術】
圧電素子は、圧電効果を示す圧電材料である、ＢａＴｉＯ３、ＰｂＺｒＯ３、ＰｂＴｉＯ３などの金属酸化物の粉末を圧縮焼成した圧電セラミックス、または高分子化合物を利用した圧電性高分子膜などから成る電気エネルギーの供給によって変形するものであり、例えば、液体噴射ヘッド、マイクロポンプ、発音体（スピーカ等）用の駆動素子として広く用いられている。ここで、液体噴射ヘッドは、圧力室内の液体に圧力変動を生じさせることでノズル開口から液滴を吐出させるものであり、例えば、プリンタ等の画像記録装置に用いられる記録ヘッド、液晶ディスプレーの製造に用いられる液晶噴射ヘッド、カラーフィルタの製造に用いられる色材噴射ヘッド等がある。
また、マイクロポンプは、極く微量の液体を扱うことができる超小型のポンプであり、例えば、極く少量の薬液を送出する際に用いられる。
【０００３】
このような液体噴射ヘッドやマイクロポンプに用いられる重要な部品の一つに、振動板の表面に圧電素子を設けた圧電アクチュエータがある。この圧電アクチュエータは圧力室となる空部を有する圧力室形成基板に取り付けられ、圧力室の一部を振動板で区画する。そして、液滴を吐出したり、液体を送出したりする際には、圧電素子に駆動パルスを供給してこの圧電素子及び振動板（即ち、圧力室の変形部分）を変形させ、圧力室の容積を変化させる。
【０００４】
これらの液体噴射ヘッドやマイクロポンプにおいては、圧電素子の高周波駆動に対する強い要請がある。これは、液滴の高周波吐出を実現したり、送液能力を高めたりするためである。そして、圧電素子の高周波駆動を実現するためには、上記変形部分のコンプライアンスを従来よりも小さくし、且つ、圧電素子の変形量を従来よりも大きくする必要がある。これは、変形部分のコンプライアンスを小さくすると応答性が向上するため、従来よりも高い周波数での駆動が可能となること、及び、圧電素子の変形量を大きくすると圧力室の容積変化量が大きくなるため、吐出される液滴の量や送出される液体の量を増やすことができることによる。
【０００５】
そして、変形部分のコンプライアンスと圧電素子の変形量の相反する特性を充足するものとして、多層構造の圧電素子が提案されている。例えば、特開平２−２８９３５２号公報には、圧電体層を上層圧電体と下層圧電体の２層構造とし、上層圧電体と下層圧電体の境界に駆動電極（個別電極）を形成すると共に、上層圧電体の外表面と下層圧電体の外表面とにそれぞれ共通電極を形成した構造の圧電素子が開示されている。同様に、特開平１０−３４９２４号公報にも多層構造の圧電素子が開示されている。
【０００６】
上記多層構造の圧電素子では、上層圧電体と下層圧電体の境界に駆動電極が設けられているので、各層の圧電体には、駆動電極から各共通電極までの間隔（即ち、各層圧電体の厚さ）と、駆動電極と各共通電極の電位差とによって定まる強さの電場が付与される。このため、共通電極と駆動電極とで単層の圧電体を挟んだ単層構造の圧電素子と比べた場合、圧電素子全体の厚さを多少厚くして剛性を高めても、従来と同じ駆動電圧で大きく変形させることができる。
【０００７】
【特許文献１】
特開平２−２８９３５２号公報
【特許文献２】
特開平１０−３４９２４号公報
【０００８】
【発明が解決しようとする課題】
しかしながら、上記多層構造の圧電素子は現実に市販されるまでに至っていない。このため、実際の製品としては、単層の圧電体を共通電極と駆動電極とで挟んだ単層構造の圧電素子を用いることを余儀なくされている。これには種々の要因が考えられるが、多層構造の圧電素子について、各素子の圧電体特性が揃ったものを選択することが困難であったことも一因と考えられる。
【０００９】
本発明は、上記事情に鑑みてなされたものであり、その目的は、圧電体特性が高いレベルで揃った圧電アクチュエータや液体噴射ヘッドを選択できるようにすることにある。
【００１０】
【課題を解決するための手段】
本発明は、上記目的を達成するために提案されたものであり、請求項１に記載のものは、駆動源としての圧電素子を振動板の表面に形成してなる圧電アクチュエータにおいて、
前記圧電素子は、電場に応じて変形する圧電体層と該圧電体層に付与される電場を発生する電極層とを備え、
前記圧電体層を、互いに積層された上層圧電体と下層圧電体とから構成すると共に、前記電極層を、共通上電極及び共通下電極からなり同電位に調整される共通電極と、駆動信号の供給源に導通される駆動電極とから構成し、
下層圧電体と上層圧電体との間に駆動電極を形成すると共に、下層圧電体と振動板との間に共通下電極を、駆動電極とは反対側の上層圧電体の表面に共通上電極をそれぞれ形成し、
共通上電極及び共通下電極をそれぞれ、基電極と該基電極から各圧電体層に延設された複数の枝電極とからなる櫛歯状電極によって構成し、
各基電極には導通部材が配設される導通部をそれぞれ設け、導通部材を介して各導通部同士を導通可能に構成したことを特徴とする圧電アクチュエータである。
【００１１】
ここで、「上下」とあるのは、振動板を基準とした位置関係を示している。即ち、振動板から近い側を「下」とし、振動板から遠い側を「上」として示している。
【００１２】
請求項２に記載のものは、振動板の表面に複数の圧電素子を形成する素子形成工程を経て製造される圧電アクチュエータの製造方法において、
前記圧電素子は、互いに積層された上層圧電体及び下層圧電体からなる圧電体層と、共通上電極及び共通下電極からなり同電位に調整される共通電極と、駆動信号の供給源に導通される駆動電極とを備え、
下層圧電体と上層圧電体との間に駆動電極を形成すると共に、下層圧電体と振動板との間に共通下電極を、駆動電極とは反対側の上層圧電体の表面に共通上電極をそれぞれ形成し、
共通上電極及び共通下電極をそれぞれ、基電極と該基電極から各圧電体層に延設された複数の枝電極とからなる櫛歯状電極によって構成すると共に、各基電極には導通部材が設けられる導通部をそれぞれ設け、
前記素子形成工程では、共通上電極と共通下電極とをそれぞれ電気的に絶縁された状態で個別に形成し、その後、導通工程にて導通部同士の間に導通部材を介設して共通上電極と共通下電極とを導通させることを特徴とする圧電アクチュエータの製造方法である。
【００１３】
請求項３に記載のものは、前記素子形成工程と導通工程との間に分類工程を行い、前記上層圧電体の圧電体特性を測定し、該測定結果に基づく分類を行うことを特徴とする請求項２に記載の圧電アクチュエータの製造方法である。
【００１４】
請求項４に記載のものは、前記素子形成工程と導通工程との間に分類工程を行い、前記下層圧電体の圧電体特性を測定し、該測定結果に基づく分類を行うことを特徴とする請求項２または請求項３に記載の圧電アクチュエータの製造方法である。
【００１５】
請求項５に記載のものは、ノズル開口に連通された圧力室と、該圧力室の一部を区画する振動板と、前記圧力室とは反対側の振動板表面に設けられた圧電素子とを備え、圧電素子の変形によって圧力室内の液体に圧力変動を生じさせることでノズル開口から液滴を吐出する液体噴射ヘッドにおいて、
前記圧電素子は、電場に応じて変形する圧電体層と該圧電体層に付与される電場を発生する電極層とを備え、
前記圧電体層を、互いに積層された上層圧電体と下層圧電体とから構成すると共に、前記電極層を、共通上電極及び共通下電極からなり同電位に調整される共通電極と、駆動信号の供給源に導通される駆動電極とから構成し、
下層圧電体と上層圧電体との間に駆動電極を形成すると共に、下層圧電体と振動板との間に共通下電極を、駆動電極とは反対側の上層圧電体の表面に共通上電極をそれぞれ形成し、
共通上電極及び共通下電極をそれぞれ、基電極と該基電極から各圧電体層に延設された複数の枝電極とからなる櫛歯状電極によって構成し、
各基電極には導通部材が配設される導通部をそれぞれ設け、導通部材を介して各導通部同士を導通可能に構成したことを特徴とする液体噴射ヘッドである。
【００１６】
請求項６に記載のものは、振動板の表面に複数の圧電素子を形成する素子形成工程を経て製造される液体噴射ヘッドの製造方法において、
前記圧電素子は、互いに積層された上層圧電体及び下層圧電体からなる圧電体層と、共通上電極及び共通下電極からなり同電位に調整される共通電極と、駆動信号の供給源に導通される駆動電極とを備え、
下層圧電体と上層圧電体との間に駆動電極を形成すると共に、下層圧電体と振動板との間に共通下電極を、駆動電極とは反対側の上層圧電体の表面に共通上電極を形成し、
共通上電極及び共通下電極をそれぞれ、基電極と該基電極から各圧電体層に延設された複数の枝電極とからなる櫛歯状電極によって構成すると共に、各基電極には導通部材が設けられる導通部をそれぞれ設け、
前記素子形成工程では、共通上電極と共通下電極とをそれぞれ電気的に絶縁された状態で個別に形成し、その後、導通工程にて導通部同士の間に導通部材を介設して共通上電極と共通下電極とを導通させることを特徴とする液体噴射ヘッドの製造方法である。
【００１７】
請求項７に記載のものは、前記素子形成工程と導通工程との間に分類工程を行い、前記上層圧電体の圧電体特性を測定し、該測定結果に基づく分類を行うことを特徴とする請求項６に記載の液体噴射ヘッドの製造方法である。
【００１８】
請求項８に記載のものは、前記素子形成工程と導通工程との間に分類工程を行い、前記下層圧電体の圧電体特性を測定し、該測定結果に基づく分類を行うことを特徴とする請求項６または請求項７に記載の液体噴射ヘッドの製造方法である。
【００１９】
【発明の実施の形態】
以下、本発明の実施の形態を図面に基づいて説明する。ここでは、プリンタやプロッタ等の画像記録装置に搭載される記録ヘッド（液体噴射ヘッドの一種）を例に挙げて説明する。この記録ヘッドは、例えば、図１１に示すように、複数個のヘッド本体１…を備え、これらのヘッド本体１…を取付ベース６１に取り付けて構成されている。
【００２０】
まず、図１及び図２に基づき、ヘッド本体１の基本構造について説明する。このヘッド本体１は、流路ユニット２とアクチュエータユニット３とから概略構成されている。
【００２１】
流路ユニット２は、インク供給口（オリフィス）４及びノズル連通口５の一部となる通孔を開設した供給口形成基板６と、共通インク室７となる通孔及びノズル連通口５の一部となる通孔を開設したインク室形成基板８と、ノズル開口９…を副走査方向（記録ヘッドが移動される主走査方向とは直交する方向）に沿って開設したノズルプレート１０から構成されている。これらの供給口形成基板６、インク室形成基板８、及び、ノズルプレート１０は、例えば、ステンレス製の板材をプレス加工することで作製されている。
【００２２】
そして、流路ユニット２は、インク室形成基板８の一方の表面（図中下側）にノズルプレート１０を、他方の表面（同上側）に供給口形成基板６をそれぞれ配置し、これらの供給口形成基板６、インク室形成基板８、及び、ノズルプレート１０を接合することで作製される。例えば、シート状の接着剤によって各部材６，８，１０を接着することで作製される。
【００２３】
上記のノズル開口９は、図２に示すように、所定ピッチで複数個列状に開設される。そして、列設された複数のノズル開口９…によってノズル列１１が構成される。例えば、９２個のノズル開口９…で１つのノズル列１１が構成され、このノズル列１１が横並びに２列形成される。
【００２４】
アクチュエータユニット３は、ヘッドチップとも呼ばれる部材である。このアクチュエータユニット３は、圧力室１２となる通孔を開設した圧力室形成基板１３と、圧力室１２の一部を区画する振動板１４と、供給側連通口１５となる通孔及びノズル連通口５の一部となる通孔を開設した蓋部材１６と、駆動源としての圧電素子１７とによって構成される。これら各部材１３，１４，１６の板厚に関し、圧力室形成基板１３、及び、蓋部材１６は、好ましくは５０μｍ以上、より好ましくは１００μｍ以上である。また、振動板１４は、好ましくは５０μｍ以下、より好ましくは３〜１２μｍ程度である。
【００２５】
なお、このアクチュエータユニット３において、振動板１４と圧電素子１７が本発明の圧電アクチュエータユニットを構成する。また、振動板１４は圧電素子１７が設けられる支持部材の一種である。
【００２６】
そして、このアクチュエータユニット３は、圧力室形成基板１３の一方の表面に蓋部材１６を、他方の表面に振動板１４をそれぞれ配置して各部材を接合し、その後、振動板１４の表面に圧電素子１７を形成することで作製される。これらの中で圧力室形成基板１３、振動板１４、及び、蓋部材１６は、アルミナや酸化ジルコニウム等のセラミックスで作製されており、焼成によって接合される。
【００２７】
これらの圧力室形成基板１３，振動板１４，蓋部材１６の接合は、例えば次の手順で行われる。まず、セラミックス原料、バインダー及び液媒等によってセラミックスのスラリーを調整する。次に、ドクターブレード装置やリバースロールコーター装置等の一般的な装置を用いて、スラリーをグリーンシート（未焼成のシート材）に成形する。その後、このグリーンシートに対して切削や打ち抜き等の加工を施して必要な通孔等を形成し、圧力室形成基板１３、振動板１４、及び、蓋部材１６の各シート状前駆体を形成する。そして、各シート状前駆体を積層及び焼成することにより、各シート状前駆体を一体化して１枚のシート状部材を得る。この場合、各シート状前駆体は一体焼成されるので、特別な接着処理が不要である。また、各シート状前駆体の接合面において高いシール性を得ることもできる。
【００２８】
また、１枚のシート状部材には、複数ユニット分の圧力室１２…やノズル連通口５…等が形成されている。換言すれば、１枚のシート状部材から複数のアクチュエータユニット（ヘッドチップ）３…を作製する。例えば、１つのアクチュエータユニット３となるチップ領域を、１枚のシート状部材内にマトリクス状に複数設定する。そして、圧電素子１７等の必要な部材を各チップ領域内に形成した後、このシート状部材（セラミックスシート）をチップ領域毎に切断することで、複数のアクチュエータユニット３…を得る。
【００２９】
上記の圧力室１２は、ノズル列１１とは直交する方向に細長い空部であり、ノズル開口９に対応する複数形成されている。即ち、図２に示すように、ノズル列方向に列設されている。そして、各圧力室１２…の一端は、ノズル連通口５を通じて対応するノズル開口９に連通する。また、ノズル連通口５とは反対側の圧力室１２の他端は、供給側連通口１５及びインク供給口４を通じて共通インク室７に連通している。さらに、この圧力室１２の一部は、振動板１４によって区画されている。
【００３０】
上記の圧電素子１７は、所謂撓み振動モードの圧電素子であり、圧力室１２とは反対側の振動板表面に圧力室１２毎に形成されている。この圧電素子１７の幅は圧力室１２の幅と略等しく、長さは圧力室１２の長さよりも多少長い。即ち、圧電素子１７は、圧力室１２の長手方向を覆うように形成されている。この圧電素子１７は、例えば、図３に示すように、圧電体層３１と共通電極３２と駆動電極３３等によって構成される多層構造であり、駆動電極３３と共通電極３２とによって圧電体層３１を挟んでいる。なお、圧電素子１７の詳細な構造については、後で詳しく説明する。
【００３１】
上記の駆動電極３３には駆動信号の供給源（図示せず）が導通され、共通電極３２は例えば接地電位に調整される。駆動電極３３に駆動信号が供給されると、駆動電極３３と共通電極３２との間には電位差に応じた強さの電場が発生される。この電場は圧電体層３１に付与されるので、圧電体層３１は付与された電場の強さに応じて変形する。即ち、駆動電極３３の電位を高くする程、圧電体層３１は電場と直交する方向に収縮し、圧力室１２の容積を少なくするように振動板１４を変形させる。一方、駆動電極３３の電位を低くする程、圧電体層３１は電界と直交する方向に伸長し、圧力室１２の容積を増やすように振動板１４を変形させる。
【００３２】
そして、このアクチュエータユニット３と上記の流路ユニット２とは、互いに接合される。例えば、供給口形成基板６と蓋部材１６との間にシート状接着剤を介在させ、この状態でアクチュエータユニット３を流路ユニット２側に加圧することで接着される。
【００３３】
このように構成されたヘッド本体１には、共通インク室７からインク供給口４、供給側連通口１５、圧力室１２、及び、ノズル連通口５を通じてノズル開口９に至る一連のインク流路がノズル開口９毎に形成されている。使用時においてこのインク流路内はインク（液体の一種）で満たされている。そして、圧電素子１７を変形させることで対応する圧力室１２が収縮或いは膨張し、圧力室１２内のインクに圧力変動が生じる。このインク圧力を制御することで、ノズル開口９からインク滴を吐出させることができる。例えば、定常容積の圧力室１２を一旦膨張させた後に急激に収縮させると、圧力室１２の膨張に伴ってインクが充填され、その後の急激な収縮によって圧力室１２内のインクが加圧されてインク滴が吐出される。
【００３４】
ここで、高速記録のためには、より多くのインク滴を短時間で吐出させる必要がある。この要求に応えるためには、圧力室１２を区画している部分の振動板１４及び圧電素子１７（即ち、圧力室１２における変形部分）のコンプライアンスと、圧電素子１７の変形量とを考慮する必要がある。即ち、上記変形部分のコンプライアンスが大きくなる程に変形に対する応答性が悪くなり、高い周波数での駆動が困難になるからである。また、変形部分のコンプライアンスが小さくなる程にこの部分が変形し難くなり、圧力室１２の収縮量が少なくなって１滴のインク量が減ってしまうからである。
【００３５】
このような観点から、既に実用化されている撓み振動モードの圧電素子を用いた記録ヘッドでは、圧電素子は単層の圧電体を共通電極と駆動電極とで挟んだ単層構造のものが用いられており、最大応答周波数は２５ｋＨｚ程度、最大インク滴量は１３ｐＬ（ピコリットル）程度であった。
【００３６】
そして、本実施形態では、多層構造の圧電素子１７を用いて振動板１４のコンプライアンスを小さくし、さらに、この圧電素子１７の構造を改良することにより、必要量のインク滴を従来よりも高い周波数で吐出可能にした。以下、この点について説明する。
【００３７】
まず、圧電素子１７の構造について詳細に説明する。図３に示すように、圧電体層３１は、互いに積層された上層圧電体（外側圧電体）３４及び下層圧電体（内側圧電体）３５から構成される。また、共通電極３２は、共通上電極（共通外電極）３６及び共通下電極（共通内電極）３７から構成される。そして、この共通電極３２と駆動電極（個別電極）３３とが電極層を構成する。
【００３８】
なお、ここでいう「上（外）」或いは「下（内）」とは、振動板１４を基準とした位置関係を示している。換言すれば、圧電素子１７における振動板１４との接合面（圧電素子１７の変形を出力するための作用面とも表現できる。）を基準とした位置関係を示している。そして、「上（外）」とあるのは振動板１４から遠い側を示し、「下（内）」とあるのは振動板１４に近い側を示している。
【００３９】
上記の駆動電極３３は、上層圧電体３４と下層圧電体３５の境界に形成され、共通下電極３７は下層圧電体３５と振動板１４との間に形成される。また、共通上電極３６は下層圧電体３５とは反対側の上層圧電体３４の表面に形成される。即ち、この圧電素子１７は、振動板側から、共通下電極３７、下層圧電体３５、駆動電極３３、上層圧電体３４、共通上電極３６の順で積層された多層構造である。そして、圧電体層３１の厚さは上層圧電体３４と下層圧電体３５の２層を合計して約１７μｍであり、共通電極３２を含めた圧電素子１７の全体の厚さは約２０μｍである。
【００４０】
なお、従来の単層構造の圧電素子１７にあっては、素子全体の厚さが約１５μｍである。従って、圧電素子１７の厚さが増したことから、その分だけ振動板１４のコンプライアンスが小さくなっている。
【００４１】
上記の共通上電極３６と共通下電極３７は、駆動信号に拘わらず一定の電位に調整される。本実施形態において、これらの共通上電極３６と共通下電極３７は、電気的に絶縁された状態で形成され、その後互いに導通される。また、使用時においては、例えば接地電位に調整される。上記の駆動電極３３は、上記したように駆動信号の供給源に導通され、供給された駆動信号に応じて電位を変化させる。従って、駆動信号の供給によって、駆動電極３３と共通上電極３６との間、及び、駆動電極３３と共通下電極３７との間には、それぞれ向きが反対の電場が生じる。
【００４２】
そして、これらの各電極３３，３６，３７を構成する材料としては、例えば、金属単体、合金、電気絶縁性セラミックスと金属との混合物等の各種導体が選択されるが、焼成温度において変質等の不具合が生じないことが要求される。本実施形態では、共通上電極３６に金を用い、共通下電極３７及び駆動電極３３に白金を用いている。
【００４３】
上記の上層圧電体３４と下層圧電体３５は共に、例えばジルコン酸チタン酸鉛（ＰＺＴ）を主成分とする圧電材料によって作製されている。そして、上層圧電体３４と下層圧電体３５とは分極方向が反対である。このため、駆動信号印加時の伸縮方向が上層圧電体３４と下層圧電体３５とで揃い、支障なく変形することができる。即ち、上層圧電体３４及び下層圧電体３５は、駆動電極３３の電位を高くする程に圧力室１２の容積を少なくするように振動板１４を変形させ、駆動電極３３の電位を低くする程に圧力室１２の容積を増やすように振動板１４を変形させる。
【００４４】
この多層構造の圧電素子１７を効率よく変形させるべく、本実施形態では、駆動信号の供給に伴う上層圧電体３４の変形度合いを、下層圧電体３５の変形度合いよりも大きくしている。即ち、同じ駆動信号が供給された場合に、上層圧電体３４を下層圧電体３５よりも大きく変形させるようにしている。このように、上層圧電体３４が下層圧電体３５よりも相対的に大きく撓むと、上層圧電体３４の方が振動板１４から離隔しているため、その変形量が増幅されて振動板１４に作用し、振動板１４の変形量を大きくすることができる。
【００４５】
そして、振動板１４を大きく変形できることから、収縮時における圧力室１２の容積をより小さくできる。従って、単に多層構造の圧電素子１７を用いた場合よりも、圧力室１２の膨張時と収縮時の容積差を広げることができ、インク滴の吐出量を増やすことができる。
【００４６】
また、上記の共通上電極３６には、他の電極（駆動電極３３，共通下電極３７）よりも薄く、柔軟性が高い電極材料を用いている。これは、この共通上電極３６が他の電極よりも大きく変形することに起因する。即ち、この共通上電極３６は、上層圧電体３４の表面に形成されているので、他の電極よりも大きく変形する。このため、共通上電極３６については、他の電極よりも柔らかい材料を用い、及び／又は、層厚を薄くすることで、変形の繰り返しによる破損を防止できる。また、層厚を薄くしても電気抵抗が過度に高くならないように、導電性が良い電極材料を用いてもよい。
【００４７】
具体的に説明すると、電極材料に関しては、上記したように、共通上電極３６を金で作製し、駆動電極３３及び共通下電極３７を白金で作製している。そして、電極の厚さに関し、共通下電極３７及び駆動電極３３は２〜３μｍであるのに対し、共通上電極３６（ｔｅ１）はその１／１０程度（例えば、０．３μｍ）にする。この構成により、共通上電極３６を圧電素子１７に追従させて変形させることができ、圧電素子１７の変形量が損なわれてしまう不具合を防止できる。また、圧電素子１７の変形が繰り返し行われても断線等の故障が生じ難い。さらに、共通上電極３６を通じて電流を効率よく流すことができる。
【００４８】
そして、上記の駆動電極３３は、図５に示すように、圧電素子１７の一方の端部で圧電素子１７の外側に露出し、導通電極３９を通じて供給端子４０に導通されている。この供給端子４０は、駆動信号を供給するための接点端子であり、駆動電極３３毎に複数形成されている。各供給端子４０…には、フレキシブル・フラット・ケーブル（ＦＦＣ）が備える駆動信号供給用の接点端子（図示せず）が導通される。従って、駆動信号は、供給端子４０及び導通電極３９を通じて、対応する駆動電極３３に供給される。
【００４９】
なお、導通電極３９は、圧電素子１７の端面、振動板１４の表面、及び、供給端子４０が設けられる端子基板４１の表面に一連に形成されている。そして、上記したように、共通下電極３７も振動板１４の表面に形成されているが、導通電極３９と共通下電極３７との間には電極が形成されない断線領域Ｘを設けてあるので、導通電極３９と共通下電極３７とは電気的に絶縁されている。
【００５０】
ところで、上記したように、圧電素子１７はノズル開口９毎に形成されるので、圧電素子１７の数は１つのノズル列１１に対して９２個となる。そして、共通上電極３６と共通下電極３７は互いに導通されるが、両共通電極３６，３７を圧電素子１７毎に導通させたのでは作業効率が悪く生産性の向上が図れない。その一方で、共通電極３２（３６，３７）の形成時に両共通電極３６，３７を導通させてしまうと、各層圧電体３４，３５の静電容量（圧電体特性の一種）等を圧電素子１７毎（圧力室１２毎）に測定する際に、複数の圧電素子１７…を一括で測定せざるを得ず、問題箇所の特定が困難である。
【００５１】
このような事情に鑑み、本実施形態では、共通上電極３６及び共通下電極３７を、基電極と複数の枝電極とからなる櫛歯状電極によって構成し、上層圧電体３４の圧電体特性及び下層圧電体３５の圧電体特性を別個に測定した後に基電極同士を導通させる構成としている。即ち、各共通電極３６，３７は、電極形成時において互いに電気的に絶縁されており、圧電体特性の測定後に導通される構成である。以下、この点について説明する。
【００５２】
図５から図７に示すように、共通上電極３６は、ノズル列方向に細長い直線帯状の基電極（幹電極）４２と、この基電極４２の一側から圧電素子１７（上層圧電体３４）の表面を覆うように一連に形成された複数の枝電極４３…とから構成された櫛歯状電極によって構成される。
【００５３】
上記の基電極４２は、振動板１４の表面に形成されており、その幅は全ての圧電素子１７に対して同時に駆動信号が供給されても支障なく電流を流せるように、枝電極４３の幅よりも十分に広く設定されている。そして、この基電極４２の長手方向端部には、図７（ａ）に点線で示すように、導通領域４２ａ（本発明の導通部の一種）を設けてある。この導通領域４２ａは、共通上電極３６と共通下電極３７とを導通させる際に用いられる（後述する）。また、各枝電極４３…は、図６に示すように、圧電体層３１の一端（基電極４２に近い側の端部）の傾斜面を通って上層圧電体３４の表面に形成される。
【００５４】
各枝電極４３…の先端（基電極４２とは反対側の端部）は、図５に示すように、上層圧電体３４における端面よりも手前に位置している。これは、各枝電極４３…の端部と駆動電極３３とを離隔して配置することにより、枝電極４３と駆動電極３３とが空中放電によって短絡してしまう不具合を防止するためである。
【００５５】
また、共通下電極３７は、その全体が振動板表面に形成され、図７（ｂ）に示すように、ノズル列方向に細長い直線帯状の基電極（幹電極）４４と、この基電極４４の一側から各圧電素子１７（下層圧電体３５）毎に形成された複数の枝電極４５…と、基電極４４の一端から枝電極４５とは反対側に延設された導通帯部４６（本発明の導通部の一種）とから構成された櫛歯状電極によって構成されている。
【００５６】
上記の基電極４４は、全ての圧電素子１７…に対して同時に駆動信号が供給されても支障なく電流を流せるように、その幅が各枝電極４５…よりも十分に広く設定されている。そして、上記の枝電極４５は、圧電体層３１（下層圧電体３５）と振動板１４の間に位置し、その先端（基電極４４とは反対側の端部）は、図５に示すように、共通上電極３６と揃えられている。また、上記の導通帯部４６は、この共通下電極３７を共通上電極３６に導通させる際に用いられる。即ち、この導通帯部４６は、共通上電極３６の導通領域４２ａに近接した位置に形成されており、図８（ｆ）に示すように、導通領域４２ａと導通帯部４６とを跨いだ状態で半田等の導通部材４７が介設される。従って、これらの両共通電極３６，３７を導通させるにあたっては、導通領域４２ａと導通帯部４６の両方を跨がせて導通部材４７を形成するだけで足り、作業の簡素化が図れ、且つ、自動化にも適する。
【００５７】
次に、図８を参照して、共通上電極３６及び共通下電極３７の形成手順を説明する。なお、両共通電極３６，３７は、振動板１４（詳しくは、個々のアクチュエータユニット３…に切断される前の振動板基材であるが、便宜上「振動板１４」として説明する。）に圧電素子１７を形成する素子形成工程で形成されるため、この素子形成工程を説明する。
【００５８】
素子形成工程では、まず、図８（ａ）に示すように、振動板１４の表面に共通下電極３７を形成する（第１工程）。本実施形態では、この共通下電極３７の形成を印刷によって行っている。従って、まず振動板１４上の所定位置にマスクを載置し、白金ペーストをこのマスクを介して振動板１４の表面に塗布する。白金ペーストを塗布したならば、この白金ペーストを焼成する。即ち、振動板表面に白金ペーストが塗布されたシート状部材（圧力室形成板１３，振動板１４，蓋部材１６の各前駆体の焼成物）を焼成炉に入れて所定温度で所定時間に亘って焼成する。この焼成により、振動板１４の表面には共通下電極３７が形成される。
【００５９】
共通下電極３７を形成したならば、次に、図８（ｂ）に示すように、下層圧電体３５を形成する（第２工程）。即ち、振動板１４上の所定位置にマスクを載置した後、圧電材料（例えば、ジルコン酸チタン酸鉛）のペーストを振動板１４の表面に塗布する。そして、塗布したペースト状の圧電材料を焼成する。その後は、図８（ｃ）〜（ｅ）に示すように、同様な手順で、駆動電極３３、上層圧電体３４、共通上電極３６を順に形成する（第３工程〜第５工程）。即ち、第３工程では下層圧電体３５に積層させて駆動電極３３を形成し、第４工程では駆動電極３３を覆うように下層圧電体３５に積層させて上層圧電体３４を形成し、第５工程では上層圧電体３４の表面に共通上電極３６を形成する。
【００６０】
共通上電極３６まで形成したならば、切断工程に移行する。この切断工程では、各チップ領域毎にセラミックスシート（圧電素子１７…が設けられたシート状部材）を切断し、複数のアクチュエータユニット３…を得る。
【００６１】
各アクチュエータユニット３…に切断したならば検査工程に移行し、圧電素子１７を構成する各層が正常に作製されたことを検査する。本実施形態では、圧電体層（アクト）の寸法（例えば、厚さや幅）に相関のある静電容量を、各層圧電体３４，３５毎に測定する。即ち、この検査工程では、まだ両共通電極３６，３７は導通されていないので、各層圧電体３４，３５毎に静電容量を測定することができる。
【００６２】
そして、全ての圧電素子１７…に対する検査（例えば、静電容量の測定）が終わったならば、測定した静電容量に基づいて、そのアクチュエータユニット３が、良品、或いは、不良品であるのかを判断する。さらに、良品と判断されたアクチュエータユニット３については、測定された静電容量に基づいて分類する。例えば、アクチュエータユニット３毎の平均静電容量に基づくランク分けを行ったり、静電容量のばらつき範囲に基づくランク分けを行う。
【００６３】
アクチュエータユニット３を分類したならば、作製された圧電素子１７を分極処理する分極工程を行う。ここで分極処理は、強電界を加えることで、内部の電気双極子を一定方向に揃える処理であり、例えば図９に示すように、共通上電極３６及び共通下電極３７を共に接地し、駆動電極３３を電源に接続することで行う。この場合、分極処理は、使用予定の駆動電圧よりも十分に高い電圧で行われる。本実施形態では、駆動電圧が３０Ｖ前後であるため、分極電圧は７０Ｖ前後に設定される。そして、この分極電圧を所定時間に亘って印加したならば、分極処理を終了する。
【００６４】
各層圧電体３４，３５を分極したならば、導通工程に移行する。この導通工程では、図８（ｆ）に示すように、分極処理後のアクチュエータユニット３に対して半田付け等の導通処理を行い、共通上電極３６と共通下電極３７とを導通させる。例えば、導通領域４２ａと導通帯部４６とを跨いだ状態で半田やボンディングワイヤ等の導通部材４７を設ける（介設する）。
【００６５】
この構成では、分極処理にて、駆動電極３３を通じて分極電圧を印加することで分極処理を行っているので、上層圧電体３４と下層圧電体３５とを纏めて分極できる。このため、作業性が良い。また、共通上電極３６と共通下電極３７とが電極形成時においては電気的に絶縁された状態にあり、測定処理の終了後に導通されるので、検査工程にて１つの圧電素子１７についての圧電体特性を上層圧電体側と下層圧電体側とに分けて測定できる。これにより、圧電体特性の揃ったアクチュエータユニット３を選別することができる。また、製造上の不具合を高い精度で発見することもできる。
【００６６】
なお、以上は、共通上電極３６と共通下電極３７の両方を櫛歯状電極によって構成した例を説明したが、少なくとも一方の共通電極３６，３７を圧電素子１７毎に個別に形成し、フレキシブル・フラット・ケーブル等の配線部材によって共通上電極３６と共通下電極３７とを導通させてもよい。
【００６７】
図１０（ａ）〜（ｃ）に示した例は、共通上電極３６´を圧電素子１７毎に個別に形成し、共通下電極３７´を櫛歯状に形成したものである。そして、共通上電極３６´と共通下電極３７´とを導通するにあたり、配線部材５１を用いている点に特徴がある。即ち、配線部材５１の接続部には導電層５２を面状に形成し、この導電層５２を共通下電極３７´（基電極）と各共通上電極３６´…との間に架け渡した状態で接合する。
【００６８】
このように構成しても、測定処理にて１つの圧電素子１７を上層圧電体３４側と下層圧電体３５側とに分けて測定できる。従って、圧電体特性の揃ったアクチュエータユニット３を選別できるし、製造上の不具合を高い精度で発見できる。
【００６９】
また、以上は、液体噴射ヘッドの一種である記録ヘッド、並びに、この記録ヘッドに用いられる圧電アクチュエータに本発明を適用した例を説明したが、これに限定されるものではない。本発明は、例えば、液晶噴射ヘッドや色材噴射ヘッド等といった他の液体噴射ヘッド、及び、この液体噴射ヘッド用の圧電アクチュエータにも適用できる。また、マイクロポンプや発音体用の圧電アクチュエータにも適用できる。
【００７０】
【発明の効果】
以上説明したように、本発明によれば以下の効果を奏する。
【００７１】
即ち、共通上電極及び共通下電極をそれぞれ、基電極と該基電極から各圧電体層に延設された複数の枝電極とからなる櫛歯状電極によって構成し、各基電極には導通部材が配設される導通部をそれぞれ設け、導通部材を介して各導通部同士を導通可能に構成したので、共通電極形成時において共通上電極と共通下電極とは、電気的に絶縁された状態になる。そして、圧電体特性の測定終了後に、共通上電極と共通下電極とを導通できるので、圧電体特性を上層圧電体側と下層圧電体側とに分けて測定できる。これにより、各圧電素子の圧電体特性が高いレベルで揃ったものを選択できる。
【００７２】
また、素子形成工程では、共通上電極と共通下電極とをそれぞれ電気的に絶縁された状態で個別に形成し、その後、導通工程にて導通部同士の間に導通部材を形成して共通上電極と共通下電極とを導通させたので、圧電体特性を上層圧電体側と下層圧電体側とに分けて測定できる。これにより、各圧電素子の圧電体特性が高いレベルで揃ったものを選択できる。
【図面の簡単な説明】
【図１】ヘッド本体の基本構造を説明する断面図である。
【図２】ヘッド本体をノズルプレート側から見た図である。
【図３】アクチュエータユニットの構造を説明する図であり、圧力室長手方向で切断した断面図である。
【図４】アクチュエータユニットの構造を説明する図であり、圧力室幅方向で切断した断面図である。
【図５】駆動電極の端部構造を説明する断面図である。
【図６】共通電極の端部構造を説明する断面図である。
【図７】共通電極の構造を説明する図であり、（ａ）は共通上電極の平面図、（ｂ）は共通下電極の平面図である。
【図８】（ａ）〜（ｆ）は、圧電素子の作成過程を説明する模式図である。
【図９】圧電素子に対する分極処理を説明する模式図である。
【図１０】（ａ）〜（ｃ）は、共通上電極を圧電素子毎に形成し、配線部材によって共通上電極と共通下電極とを導通させた例を説明する図である。
【図１１】複数のヘッド本体を備えた記録ヘッドを説明する図である。
【符号の説明】
１　ヘッド本体
２　流路ユニット
３　アクチュエータユニット
４　インク供給口
５　ノズル連通口
６　供給口形成基板
７　共通インク室
８　インク室形成基板
９　ノズル開口
１０　ノズルプレート
１１　ノズル列
１２　圧力室
１３　圧力室形成基板
１４　振動板
１５　供給側連通口
１６　蓋部材
１７　圧電素子
３１　圧電体層
３２　共通電極
３３　駆動電極
３４　上層圧電体
３５　下層圧電体
３６　共通上電極
３７　共通下電極
３８　圧力室隔壁
３９　導通電極
４０　供給端子
４１　端子基板
４２　共通上電極の基電極
４３　共通上電極の枝電極
４４　共通下電極の基電極
４５　共通下電極の枝電極
４６　共通下電極の導通帯部
４７　導通部材
５１　配線部材
５２　導電層
６１　取付ベース
【図１】
2004096070.tif 000003
【図２】
2004096070.tif 000004
【図３】
2004096070.tif 000005
【図４】
2004096070.tif 000006
【図５】
2004096070.tif 000007
【図６】
2004096070.tif 000008
【図７】
2004096070.tif 000009
【図８】
2004096070.tif 000010
【図９】
2004096070.tif 000011
【図１０】
2004096070.tif 000012
【図１１】
2004096070.tif 000013